(57)【要約】【課題】従来の情報処理装置においては、関連用語収集の精度が低いという課題があった。【解決手段】文献情報を１以上格納している文献情報格納部と、用語情報を受け付ける用語情報受付部と、用語情報を有する文献情報の全部または一部を取得する文献情報取得部と、文献情報取得部が取得した文献情報の全部または一部に基づいて、当該文献情報に対応する文献と引用関係にある引用文献の情報である引用文献情報の全部または一部を、文献情報格納部から取得する引用文献情報取得部と、引用文献情報取得部が取得した引用文献情報の全部または一部に基づいて、用語情報が示す用語に関連する関連用語の情報である関連用語情報を取得する関連用語情報取得部と、関連用語情報取得部が取得した関連用語情報を出力する関連用語情報出力部と、を具備する情報処理装置により、関連用語の収集の精度を高くできる。【選択図】図１
2007004240.tif 000002
【特許請求の範囲】
【請求項１】
文献の情報である文献情報を１以上格納している文献情報格納部と、
用語の情報である用語情報を受け付ける用語情報受付部と、
前記用語情報を有する文献情報の全部または一部を取得する文献情報取得部と、
前記文献情報取得部が取得した文献情報の全部または一部に基づいて、当該文献情報に対応する文献と引用関係にある引用文献の情報である引用文献情報の全部または一部を、前記文献情報格納部から、取得する引用文献情報取得部と、
前記引用文献情報取得部が取得した引用文献情報の全部または一部に基づいて、前記用語情報が示す用語に関連する関連用語の情報である関連用語情報を取得する関連用語情報取得部と、
前記関連用語情報取得部が取得した関連用語情報を出力する関連用語情報出力部と、を具備する情報処理装置。
【請求項２】
前記関連用語情報取得部は、
前記引用文献情報取得部が取得した引用文献情報の全部または一部が有する用語情報である関連用語候補情報を取得する関連用語候補情報取得手段と、
前記関連用語候補情報が、前記引用文献情報取得部の取得した１以上の引用文献情報の全部または一部に出現する頻度に基づいて、当該関連用語候補情報と前記用語情報受付部が受け付けた用語情報の関連度を算出する関連度算出手段と、
前記関連度に基づいて、前記関連用語候補情報を関連用語情報として決定する関連用語情報決定手段と、を具備する請求項１記載の情報処理装置。
【請求項３】
前記関連用語情報取得部は、
前記関連用語候補情報取得手段が取得した関連用語候補情報の重要度を取得する重要度取得手段をさらに具備し、
前記関連度算出手段は、
前記重要度取得手段が取得した重要度が所定の条件を満たす関連用語候補情報のみを対象として関連度を算出する請求項２記載の情報処理装置。
【請求項４】
前記引用文献情報取得部は、
前記文献情報が示す文献と所定の引用関係にある引用文献のみの引用文献情報の全部または一部を前記文献情報格納部から取得する請求項１から請求項３いずれか記載の情報処理装置。
【請求項５】
前記文献情報格納部は、
２種類以上の文献情報を格納しており、
前記引用文献情報取得部は、
前記文献情報に対応する文献と引用関係にある引用文献であり、前記文献とは異なる種類の文献である引用文献の引用文献情報の全部または一部を、前記文献情報格納部から、取得する請求項１から請求項５記載の情報処理装置。
【請求項６】
前記文献の種類は学術論文であり前記文献とは異なる種類の文献の種類は特許書類である、または前記文献の種類は特許書類であり前記文献とは異なる種類の文献の種類は学術論文である請求項５記載の情報処理装置。
【請求項７】
前記関連情報出力部が出力した関連用語情報に基づいて、文献情報を検索し出力する文献情報検索部を、さらに具備する請求項１から請求項６いずれか記載の情報処理装置。
【請求項８】
サーバ装置と、情報処理装置と、を具備する情報処理システムであって、
前記サーバ装置は、
文献の情報である文献情報を１以上格納している文献情報格納部と、
前記情報処理装置から用語の情報である用語情報を受信する用語情報受信部と、
前記用語情報を有する文献情報の全部または一部を取得する文献情報取得部と、
前記文献情報取得部が取得した文献情報の全部または一部に基づいて、当該文献情報に対応する文献と引用関係にある引用文献の情報である引用文献情報の全部または一部を、前記文献情報格納部から、取得する引用文献情報取得部と、
前記引用文献情報取得部が取得した引用文献情報の全部または一部に基づいて、前記用語情報が示す用語に関連する関連用語の情報である関連用語情報を取得する関連用語情報取得部と、
前記関連用語情報取得部が取得した関連用語情報に基づいて処理を行う処理部と、
前記処理部における処理結果を、前記情報処理装置に送信する処理結果送信部と、を具備し、
前記情報処理装置は、
用語情報を受け付ける用語情報受付部と、
前記用語情報を前記サーバ装置に送信する用語情報送信部と、
前記用語情報の送信に対応して、前記処理結果を受信する処理結果受信部と、
前記処理結果受信部が受信した処理結果を出力する処理結果出力部と、を具備する情報処理システム。
【請求項９】
前記関連用語情報取得部は、
前記引用文献情報取得部が取得した引用文献情報の全部または一部が有する用語情報である関連用語候補情報を取得する関連用語候補情報取得手段と、
前記関連用語候補情報が、前記引用文献情報取得部の取得した１以上の引用文献情報の全部または一部に出現する頻度に基づいて、当該関連用語候補情報と前記用語情報受付部が受け付けた用語情報の関連度を算出する関連度算出手段と、
前記関連度に基づいて、前記関連用語候補情報を関連用語情報として決定する関連用語情報決定手段を具備する請求項８記載の情報処理システム。
【請求項１０】
前記関連用語情報取得部は、
前記関連用語候補情報取得手段が取得した関連用語候補情報の重要度を取得する重要度取得手段をさらに具備し、
前記関連度算出手段は、
前記重要度取得手段が取得した重要度が所定の条件を満たす関連用語候補情報のみを対象として関連度を算出する請求項９記載の情報処理システム。
【請求項１１】
前記引用文献情報取得部は、
前記文献情報が示す文献と所定の引用関係にある引用文献のみの引用文献情報の全部または一部を、前記文献情報格納部から取得する請求項８から請求項１０いずれか記載の情報処理システム。
【請求項１２】
前記文献情報格納部は、
２種類以上の文献情報を格納しており、
前記引用文献情報取得部は、
前記文献情報に対応する文献と引用関係にある引用文献であり、前記文献とは異なる種類の文献である引用文献の引用文献情報の全部または一部を、前記文献情報格納部から、取得する請求項８から請求項１１記載の情報処理システム。
【請求項１３】
前記文献の種類は学術論文であり前記文献とは異なる種類の文献の種類は特許書類である、または前記文献の種類は特許書類であり前記文献とは異なる種類の文献の種類は学術論文である請求項１２記載の情報処理システム。
【請求項１４】
請求項８から請求項１３いずれか記載の情報処理システムを構成するサーバ装置。
【請求項１５】
コンピュータに、
用語の情報である用語情報を受け付ける用語情報受付ステップと、
前記用語情報を有する文献情報の全部または一部を取得する文献情報取得ステップと、
前記文献情報取得ステップで取得した文献情報の全部または一部に基づいて、当該文献情報に対応する文献と引用関係にある引用文献の情報である引用文献情報の全部または一部を、前記文献情報格納部から、取得する引用文献情報取得ステップと、
前記引用文献情報取得ステップで取得した引用文献情報の全部または一部に基づいて、前記用語情報が示す用語に関連する関連用語の情報である関連用語情報を取得する関連用語情報取得ステップと、
前記関連用語情報取得ステップで取得した関連用語情報を出力する関連用語情報出力ステップを実行させるためのプログラム。
【請求項１６】
前記引用文献情報取得ステップにおいて、
前記文献情報が示す文献と所定の引用関係にある引用文献のみの引用文献情報の全部または一部を取得する請求項１５記載のプログラム。
【請求項１７】
前記引用文献情報取得ステップにおいて、
前記文献情報に対応する文献と引用関係にある引用文献であり、前記文献とは異なる種類の文献である引用文献の引用文献情報の全部または一部を、取得する請求項１５または請求項１６記載のプログラム。
【請求項１８】
コンピュータに、
前記関連情報出力ステップで出力した関連用語情報に基づいて、文献情報を検索し出力する文献情報検索ステップをさらに実行させるための請求項１５から請求項１７いずれか記載のプログラム。
【請求項１９】
コンピュータに、
用語の情報である用語情報を受信する用語情報受信ステップと、
前記用語情報を有する文献情報の全部または一部を取得する文献情報取得ステップと、
前記文献情報取得ステップで取得した文献情報の全部または一部に基づいて、当該文献情報に対応する文献と引用関係にある引用文献の情報である引用文献情報の全部または一部を、前記文献情報格納部から、取得する引用文献情報取得ステップと、
前記引用文献情報取得ステップで取得した引用文献情報の全部または一部に基づいて、前記用語情報が示す用語に関連する関連用語の情報である関連用語情報を取得する関連用語情報取得ステップと、
前記関連用語情報取得ステップで取得した関連用語情報に基づいて処理を行う処理ステップと、
前記処理ステップにおける処理結果を送信する処理結果送信ステップを実行させるためのプログラム。
【発明の詳細な説明】
【技術分野】
【０００１】
本発明は、関連用語の収集を行う情報処理装置等に関するものである。
【背景技術】
【０００２】
従来の情報処理装置は、Ｗｅｂ上のホームページを検索し、関連用語を自動収集する（例えば、非特許文献１、非特許文献２、非特許文献３、非特許文献４参照）。一般に、Ｗｅｂからある専門用語ｔに関連する用語を収集するには、まず、ある用語ｔに関する記述を収集し、そこからｔと関連する用語を抽出するという手順が必要になる。ここで、用語ｔに関する適切な記述を収集する方法が、ポイントのひとつとなる。例えば、非特許文献１において、次に述べる方法で、用語ｔに関する記述を収集している。ある用語ｔに対して、まず「ｔとは」「ｔという」「ｔは」「ｔ」の４種類のクエリを検索エンジンに入力し、得られたＵＲＬのそれぞれ上位１００ページを入手する。次に、入手したページを整形して文に分割し、用語ｔを含む文のみを抽出し、そこから関連用語の収集を行う。
なお、従来技術において、論文間の参照情報を考慮したサーベイ論文作成支援システムが存在する（非特許文献５）。
【非特許文献１】佐藤理史、他１名，"ウェブを利用した関連用語の自動収集"情報処理学会研究報告 自然言語処理，(2003)，NL-153、pp.57-64
【非特許文献２】佐々木 靖弘、他２名、"用語間の関連度を測る指標の提案"言語処理学会第10回年次大会，(2004)，pp.25-28
【非特許文献３】白井 清昭、他３名、"ポータルサイト自動作成の試み"言語処理学会第10回年次大会、(2004)，pp.624-627
【非特許文献４】小原 恭介、他３名、"ウェブを利用した関連用語収集"第3回情報科学技術フォーラム(FIT2004)，(2004)
【非特許文献５】難波 英嗣、他１名，"論文間の参照情報を考慮したサーベイ論文作成支援システムの開発"自然言語処理,(1999)，Vol.6, No.5, pp.43-62
【発明の開示】
【発明が解決しようとする課題】
【０００３】
しかしながら、従来の情報処理装置においては、文献の引用関係に着目しておらず、用語毎に、Ｗｅｂサーチエンジンを使って関連ページを収集し、そこから関連用語を抽出するため、関連用語の収集に時間がかかる、という課題があった。また、従来の情報処理装置においては、文献の引用関係に着目していないために、関連用語収集の精度が低い、という課題があった。
【課題を解決するための手段】
【０００４】
本第一の発明の情報処理装置は、文献の情報である文献情報を１以上格納している文献情報格納部と、用語の情報である用語情報を受け付ける用語情報受付部と、前記用語情報を有する文献情報の全部または一部を取得する文献情報取得部と、前記文献情報取得部が取得した文献情報の全部または一部に基づいて、当該文献情報に対応する文献と引用関係にある引用文献の情報である引用文献情報の全部または一部を、前記文献情報格納部から、取得する引用文献情報取得部と、前記引用文献情報取得部が取得した引用文献情報の全部または一部に基づいて、前記用語情報が示す用語に関連する関連用語の情報である関連用語情報を取得する関連用語情報取得部と、前記関連用語情報取得部が取得した関連用語情報を出力する関連用語情報出力部と、を具備する情報処理装置である。
かかる構成により、受け付けた用語に関連する関連用語の収集が高速にでき、かつ、関連用語収集の精度が向上する。
【０００５】
また、本第二の発明の情報処理装置は、第一の発明に対して、前記関連用語情報取得部は、前記引用文献情報取得部が取得した引用文献情報の全部または一部が有する用語情報である関連用語候補情報を取得する関連用語候補情報取得手段と、前記関連用語候補情報が、前記引用文献情報取得部の取得した１以上の引用文献情報の全部または一部に出現する頻度に基づいて、当該関連用語候補情報と前記用語情報受付部が受け付けた用語情報の関連度を算出する関連度算出手段と、前記関連度に基づいて、前記関連用語候補情報を関連用語情報として決定する関連用語情報決定手段と、を具備する情報処理装置である。
かかる構成により、受け付けた用語に関連する関連用語の収集が高速にでき、かつ、関連用語収集の精度が向上する。
【０００６】
また、本第三の発明の情報処理装置は、第二の発明に対して、前記関連用語情報取得部は、前記関連用語候補情報取得手段が取得した関連用語候補情報の重要度を取得する重要度取得手段をさらに具備し、前記関連度算出手段は、前記重要度取得手段が取得した重要度が所定の条件を満たす関連用語候補情報のみを対象として関連度を算出する情報処理装置である。
かかる構成により、さらに、関連用語収集の精度が向上する。
【０００７】
また、本第四の発明の情報処理装置は、第一から第三いずれかの発明に対して、前記引用文献情報取得部は、前記文献情報が示す文献と所定の引用関係にある引用文献のみの引用文献情報の全部または一部を前記文献情報格納部から取得する情報処理装置である。
かかる構成により、さらに、関連用語収集の精度が向上する。
【０００８】
また、本第五の発明の情報処理装置は、第一から第五いずれかの発明に対して、前記文献情報格納部は、２種類以上の文献情報を格納しており、前記引用文献情報取得部は、前記文献情報に対応する文献と引用関係にある引用文献であり、前記文献とは異なる種類の文献である引用文献の引用文献情報の全部または一部を、前記文献情報格納部から、取得する情報処理装置である。
かかる構成により、広範囲に関連用語の収集ができる。
【０００９】
また、本第六の発明の情報処理装置は、第五の発明に対して、前記文献の種類は学術論文であり前記文献とは異なる種類の文献の種類は特許書類である、または前記文献の種類は特許書類であり前記文献とは異なる種類の文献の種類は学術論文である情報処理装置である。
かかる構成により、有用な文書を対象とでき、精度の高い関連用語の収集ができる。
【００１０】
また、本第七の発明の情報処理装置は、サーバ装置と、情報処理装置と、を具備する情報処理システムであって、前記サーバ装置は、文献の情報である文献情報を１以上格納している文献情報格納部と、前記情報処理装置から用語の情報である用語情報を受信する用語情報受信部と、前記用語情報を有する文献情報の全部または一部を取得する文献情報取得部と、前記文献情報取得部が取得した文献情報の全部または一部に基づいて、当該文献情報に対応する文献と引用関係にある引用文献の情報である引用文献情報の全部または一部を、前記文献情報格納部から、取得する引用文献情報取得部と、前記引用文献情報取得部が取得した引用文献情報の全部または一部に基づいて、前記用語情報が示す用語に関連する関連用語の情報である関連用語情報を取得する関連用語情報取得部と、前記関連用語情報取得部が取得した関連用語情報に基づいて処理を行う処理部と、前記処理部における処理結果を、前記情報処理装置に送信する処理結果送信部と、を具備し、前記情報処理装置は、用語情報を受け付ける用語情報受付部と、前記用語情報を前記サーバ装置に送信する用語情報送信部と、前記用語情報の送信に対応して、前記処理結果を受信する処理結果受信部と、前記処理結果受信部が受信した処理結果を出力する処理結果出力部と、を具備する情報処理システムである。
かかる構成により、受け付けた用語に関連する関連用語の収集が高速にでき、かつ、関連用語収集の精度が向上する。
【００１１】
また、本第八の発明の情報処理装置は、第七の発明に対して、前記関連用語情報取得部は、前記引用文献情報取得部が取得した引用文献情報の全部または一部が有する用語情報である関連用語候補情報を取得する関連用語候補情報取得手段と、前記関連用語候補情報が、前記引用文献情報取得部の取得した１以上の引用文献情報の全部または一部に出現する頻度に基づいて、当該関連用語候補情報と前記用語情報受付部が受け付けた用語情報の関連度を算出する関連度算出手段と、前記関連度に基づいて前記関連用語候補情報を関連用語情報として決定する関連用語情報決定手段を具備する情報処理システムである。
かかる構成により、受け付けた用語に関連する関連用語の収集が高速にでき、かつ、関連用語収集の精度が向上する。
【００１２】
また、本第九の発明の情報処理装置は、第八の発明に対して、前記関連用語情報取得部は、前記関連用語候補情報取得手段が取得した関連用語候補情報の重要度を取得する重要度取得手段をさらに具備し、前記関連度算出手段は、前記重要度取得手段が取得した重要度が所定の条件を満たす関連用語候補情報のみを対象として関連度を算出する情報処理システムである。
かかる構成により、さらに、関連用語収集の精度が向上する。
【００１３】
また、本第十の発明の情報処理装置は、第七から第九いずれかの発明に対して、前記引用文献情報取得部は、前記文献情報が示す文献と所定の引用関係にある引用文献のみの引用文献情報の全部または一部を前記文献情報格納部から取得する情報処理システムである。
かかる構成により、さらに、関連用語収集の精度が向上する。
【００１４】
また、本第十一の発明の情報処理装置は、第七から第十いずれかの発明に対して、前記文献情報格納部は、２種類以上の文献情報を格納しており、前記引用文献情報取得部は、前記文献情報に対応する文献と引用関係にある引用文献であり、前記文献とは異なる種類の文献である引用文献の引用文献情報の全部または一部を、前記文献情報格納部から、取得する情報処理システムである。
かかる構成により広範囲に関連用語の収集ができる。
【００１５】
また、本第十二の発明の情報処理装置は、第十一の発明に対して、前記文献の種類は学術論文であり前記文献とは異なる種類の文献の種類は特許書類である、または前記文献の種類は特許書類であり前記文献とは異なる種類の文献の種類は学術論文である情報処理システムである。
かかる構成により、有用な文書を対象とでき、精度の高い関連用語の収集ができる。
【発明の効果】
【００１６】
本発明による情報処理装置によれば、受け付けた用語に関連する用語を自動的に取得できる。
【発明を実施するための最良の形態】
【００１７】
以下、情報処理装置等の実施形態について図面を参照して説明する。なお、実施の形態において同じ符号を付した構成要素は同様の動作を行うので、再度の説明を省略する場合がある。
（実施の形態１）
図１は、本実施の形態における情報処理装置のブロック図である。
情報処理装置は、文献情報格納部１１、用語情報受付部１２、文献情報取得部１３、引用文献情報取得部１４、関連用語情報取得部１５、関連用語情報出力部１６を具備する。
関連用語情報取得部１５は、関連用語候補情報取得手段１５１、重要度取得手段１５２、関連度算出手段１５３、関連用語情報決定手段１５４を具備する。
【００１８】
文献情報格納部１１は、文献の情報である文献情報を１以上格納している。２種類以上の文献情報を格納しており。文献とは、論文や、特許や、いわゆるＷｅｂ上のホームページなども含む。文献情報は、例えば、特許の情報の全部でなくても良い。文献情報は、例えば、特許の情報のうちの要約書だけでも良い。文献情報格納部１１は、不揮発性の記録媒体が好適であるが、揮発性の記録媒体でも実現可能である。文献情報格納部１１が揮発性の記録媒体の場合、例えば、文献情報は、元々、情報処理装置とは異なる他の装置に存在していても良い。
【００１９】
用語情報受付部１２は、用語の情報である用語情報を受け付ける。用語情報の入力手段は、キーボードやマウスやメニュー画面によるもの等、何でも良い。用語情報受付部１２は、外部の装置から用語情報を受信しても良い。用語情報受付部１２は、キーボード等の入力手段のデバイスドライバーや、メニュー画面の制御ソフトウェア等で実現され得る。
【００２０】
文献情報取得部１３は、用語情報受付部１２が受け付けた用語情報を有する文献情報の全部または一部を取得する。文献情報の一部とは、例えば、文献情報の表題（タイトル）である。また、文献情報の一部とは、例えば、文献情報が特許情報である場合、特許情報の中の背景技術の情報である。また、文献情報の一部とは、例えば、文献情報の要約（論文のアブストラクト）の情報である。用語情報を有する箇所と、文献情報取得部１３が取得する箇所は同一でも、異なっていても良い。つまり、例えば、文献情報取得部１３は、用語情報を要約の箇所に有する場合、当該文献情報の表題の情報を取得しても良い。文献情報取得部１３は、通常、ＭＰＵやメモリ等から実現され得る。文献情報取得部１３の処理手順は、通常、ソフトウェアで実現され、当該ソフトウェアはＲＯＭ等の記録媒体に記録されている。但し、ハードウェア（専用回路）で実現しても良い。
【００２１】
引用文献情報取得部１４は、文献情報取得部１３が取得した文献情報の全部または一部に基づいて、当該文献情報に対応する文献と引用関係にある引用文献の情報である引用文献情報の全部または一部を、文献情報格納部１１から取得する。引用文献情報取得部１４は、文献情報が示す文献と所定の引用関係にある引用文献のみの引用文献情報の全部または一部を文献情報格納部１１から取得することは好適である。「所定の引用関係」とは、他の文献の理論や手法等の問題点を指摘するための引用の種類である問題指摘型の引用関係（以下の「タイプＣ」）や、既存の研究成果を用いて、新しい理論を提案したり、システムを構築したりする場合の引用の種類である論説根拠型の引用関係（以下の「タイプＢ」）などである。なお、引用文献情報取得部１４は、引用関係にある引用文献の引用文献情報を取得する具体的なアルゴリズム例、所定の引用関係にある引用文献情報を取得する具体的なアルゴリズム例については後述する。引用文献情報取得部１４は、文献情報に対応する文献と引用関係にある引用文献であり、文献とは異なる種類の文献である引用文献の引用文献情報の全部または一部を、文献情報格納部１１から、取得しても良い。引用文献情報取得部１４は、通常、ＭＰＵやメモリ等から実現され得る。引用文献情報取得部１４の処理手順は、通常、ソフトウェアで実現され、当該ソフトウェアはＲＯＭ等の記録媒体に記録されている。但し、ハードウェア（専用回路）で実現しても良い。
【００２２】
関連用語情報取得部１５は、引用文献情報取得部１４が取得した引用文献情報の全部または一部に基づいて、用語情報が示す用語に関連する関連用語の情報である関連用語情報を取得する。関連用語情報取得部１５は、例えば、引用文献情報取得部１４が取得した引用文献情報のタイトルから専門用語を示す情報である専門用語情報を取得する。そして、関連用語情報取得部１５は、専門用語情報を関連用語情報とする。なお、論文の表題（タイトル）から専門用語情報を取得する技術は公知技術であるので、ここでの詳細な説明は省略する。また、関連用語情報取得部１５は、下記の関連用語候補情報取得手段１５１、重要度取得手段１５２、関連度算出手段１５３、関連用語情報決定手段１５４の処理により、関連用語情報を取得することは好適である。その他、関連用語情報取得部１５が関連用語情報を取得するアルゴリズムは問わない。当該アルゴリズムの例は、後述する。関連用語情報取得部１５は、通常、ＭＰＵやメモリ等から実現され得る。関連用語情報取得部１５の処理手順は、通常、ソフトウェアで実現され、当該ソフトウェアはＲＯＭ等の記録媒体に記録されている。但し、ハードウェア（専用回路）で実現しても良い。
【００２３】
関連用語候補情報取得手段１５１は、引用文献情報取得部１４が取得した引用文献情報の全部または一部が有する用語情報である関連用語候補情報を取得する。関連用語候補情報取得手段１５１は、例えば、引用文献情報取得部１４が取得した引用文献情報のタイトルから専門用語を示す情報である専門用語情報を取得する。そして、関連用語候補情報取得手段１５１は、かかる専門用語情報を関連用語候補情報とする。
【００２４】
重要度取得手段１５２は、関連用語候補情報取得手段１５１が取得した関連用語候補情報の重要度を取得する。なお、重要度取得手段１５２の重要度を取得する処理は、公知技術であるので、ここでの詳細な説明は省略する。重要度取得手段１５２は、例えば、「多くの異なり語と連接する名詞から構成される複合語は重要度が高い」というルールに基づいて、重要度を取得しても良い。重要度取得手段１５２は、例えば、文献情報格納部１１の文献情報の全部または一部（例えば、タイトルやアブストラクトなど）における、関連用語候補情報の出現頻度を取得し、出現頻度をパラメータとして、関連用語候補情報の重要度を取得しても良い。なお、出現頻度が多いほど、通常、重要度は大きい。
【００２５】
関連度算出手段１５３は、関連用語候補情報が、引用文献情報取得部１４の取得した１以上の引用文献情報の全部または一部に出現する頻度に基づいて、当該関連用語候補情報と用語情報受付部１２が受け付けた用語情報の関連度を算出する。関連度算出手段１５３は、重要度取得手段１５２が取得した重要度が所定の条件を満たす関連用語候補情報のみを対象として関連度を算出することは好適である。関連度算出手段１５３の処理は、公知技術であるので、詳細な説明を省略する。なお、関連度算出手段１５３は、例えば、取得した全引用文献情報のタイトルに、当該関連用語候補情報が含まれる頻度から、関連度を算出しても良い。
【００２６】
関連用語情報決定手段１５４は、関連度算出手段１５３が算出した関連度に基づいて、関連用語候補情報を関連用語情報として決定する。関連用語情報決定手段１５４は、例えば、所定以上の関連度を有する（関連の度合いが強い）関連用語候補情報を関連用語情報とする。
【００２７】
関連用語候補情報取得手段１５１、重要度取得手段１５２、関連度算出手段１５３、関連用語情報決定手段１５４は、通常、ＭＰＵやメモリ等から実現され得る。関連用語情報決定手段の処理手順は、通常、ソフトウェアで実現され、当該ソフトウェアはＲＯＭ等の記録媒体に記録されている。但し、ハードウェア（専用回路）で実現しても良い。
【００２８】
関連用語情報出力部１６は、関連用語情報取得部１５が取得した関連用語情報を出力する。ここで、出力とは、ディスプレイへの表示、記録媒体への蓄積、プリンタへの印字、音出力、外部の装置への送信等を含む概念である。出力が記録媒体への蓄積である場合、本情報処理装置は、関連用語辞書を自動構成する装置である。関連用語情報出力部１６は、ディスプレイやスピーカー等の出力デバイスを含むと考えても含まないと考えても良い。関連用語情報出力部は、出力デバイスのドライバーソフトまたは、出力デバイスのドライバーソフトと出力デバイス等で実現され得る。
次に、情報処理装置の動作について図２から図６のフローチャートを用いて説明する。
（ステップＳ２０１）用語情報受付部１２は、用語情報を受け付けたか否かを判断する。用語情報を受け付ければステップＳ２０２に行き、用語情報を受け付けなければステップＳ２０１に戻る。
【００２９】
（ステップＳ２０２）文献情報取得部１３は、用語情報受付部１２が受け付けた用語情報を有する文献情報の全部または一部を、文献情報格納部１１から取得する。文献情報取得部１３は、例えば、用語情報受付部１２が受け付けた用語情報を、そのタイトルや要約の項目に有する文献情報の全部または一部を取得する。文献情報取得部１３が情報を取得する場合、用語情報を含むか否かをチェックする箇所と、取得する箇所が異なっていても良い。文献情報取得部１３が文献情報の全部または一部を取得する文献情報取得処理については、図３のフローチャートを用いて説明する。
【００３０】
（ステップＳ２０３）引用文献情報取得部１４は、ステップＳ２０２で取得した文献情報の全部または一部に基づいて、当該文献情報に対応する文献と引用関係にある引用文献の情報である引用文献情報の全部または一部を、文献情報格納部１１から取得する。引用文献情報取得部１４が引用文献情報の全部または一部を取得する引用文献情報取得処理については、図４、図６のフローチャートを用いて説明する。
【００３１】
（ステップＳ２０４）関連用語情報取得部１５は、ステップＳ２０３で取得した引用文献情報の全部または一部に基づいて、関連用語情報を取得する。関連用語情報取得部１５が関連用語情報を取得する関連用語情報取得処理については、図５のフローチャートを用いて説明する。
（ステップＳ２０５）関連用語情報出力部１６は、ステップＳ２０４で取得した関連用語情報を出力する。ステップＳ２０１に戻る。
なお、図２フローチャートにおいて、電源オフや処理終了の割り込みにより処理は終了する。
次に、ステップＳ２０２の文献情報取得処理について図３のフローチャートを用いて説明する。
（ステップＳ３０１）文献情報取得部１３は、カウンタｉに１を代入する。
【００３２】
（ステップＳ３０２）文献情報取得部１３は、文献情報格納部１１の中に、ｉ番目の文献情報が存在するか否かを判断する。ｉ番目の文献情報が存在すればステップＳ３０３に行き、ｉ番目の文献情報が存在しなければ上位関数にリターンする。
【００３３】
（ステップＳ３０３）文献情報取得部１３は、ｉ番目の文献情報の全部または一部を取得する。文献情報取得部１３がｉ番目の文献情報の一部を取得する場合、文献情報取得部１３は、通常、文献情報の中の、予め決められた箇所（例えば、タイトルや、アブストラクトや、背景技術の箇所など）の情報を取得する。
【００３４】
（ステップＳ３０４）文献情報取得部１３は、ステップＳ３０３で取得したｉ番目の文献情報の全部または一部の中に、用語情報受付部１２が受け付けた用語情報を含むか否かを判断する。用語情報を含めばステップＳ３０５に行き、用語情報を含まなければステップＳ３０６に行く。
（ステップＳ３０５）文献情報取得部１３は、ｉ番目の文献情報の全部または一部を一時格納する。なお、ステップＳ３０５で一時格納する情報は、ステップＳ３０３で取得した情報の一部でも、全部でも良い。
（ステップＳ３０６）文献情報取得部１３は、カウンタｉを１、インクリメントする。ステップＳ３０２に戻る。
次に、ステップＳ２０３の引用文献情報取得処理について図４のフローチャートを用いて説明する。
（ステップＳ４０１）引用文献情報取得部１４は、カウンタｉに１を代入する。
【００３５】
（ステップＳ４０２）引用文献情報取得部１４は、上述した文献情報取得処理で取得できた文献情報のうち、ｉ番目の文献情報が存在するか否かを判断する。ｉ番目の文献情報が存在すればステップＳ４０３に行き、ｉ番目の文献情報が存在しなければ上位関数にリターンする。
【００３６】
（ステップＳ４０３）引用文献情報取得部１４は、ｉ番目の文献情報で引用されている文献と引用関係にある引用文献の情報である引用文献情報の全部または一部を、文献情報格納部１１から取得する。ここで、引用文献情報取得部１４は、ｉ番目の文献情報で引用されているすべての引用文献情報を取得する。引用文献情報取得部１４は、ｉ番目の文献情報が有する「参考文献」の欄から引用文献情報の書誌情報を取得し、当該書誌情報に基づいて引用文献情報の全部または一部を取得しても良い。また、引用文献情報取得部１４は、ｉ番目の文献情報が有する「背景技術」や「関連業績」の欄から引用文献情報の書誌情報を取得し、当該書誌情報に基づいて引用文献情報の全部または一部を取得しても良い。ｉ番目の文献情報が特許情報（特許明細書の情報）である場合、引用文献情報取得部１４は、「背景技術」の欄に存在する「特許文献」または「非特許文献」のタグに対応する書誌情報を取得し、当該書誌情報に基づいて引用文献情報の全部または一部を取得しても良い。また、ｉ番目の文献情報が学術論文や技術論文の情報である場合、引用文献情報取得部１４は、ｉ番目の文献情報が有する「関連業績」の欄や、論文全体から、他の論文の書誌情報を取得し、当該書誌情報に基づいて引用文献情報の全部または一部を取得しても良い。
（ステップＳ４０４）引用文献情報取得部１４は、カウンタｊに１を代入する。
【００３７】
（ステップＳ４０５）引用文献情報取得部１４は、ステップＳ４０３で取得した引用文献情報の中に、ｊ番目の引用文献情報が存在するか否かを判断する。ｊ番目の引用文献情報が存在すればステップＳ４０６に行き、ｊ番目の引用文献情報が存在しなければステップＳ４１２に行く。
【００３８】
（ステップＳ４０６）引用文献情報取得部１４は、ｉ番目の文献情報の文献と、ｊ番目の引用文献情報の文献の引用関係を決定する。引用関係を決定する処理である引用関係決定処理について、図６のフローチャートを用いて説明する。
【００３９】
（ステップＳ４０７）引用文献情報取得部１４は、ステップＳ４０６で決定した引用関係が、所定の引用関係であるか否かを判断する。所定の引用関係であればステップＳ４０８に行き、所定の引用関係でなければステップＳ４１１に飛ぶ。
（ステップＳ４０８）引用文献情報取得部１４は、ｊ番目の引用文献情報を取得する。
【００４０】
（ステップＳ４０９）引用文献情報取得部１４は、ｊ番目の引用文献情報が既に一時格納されているか否かを判断する。既に一時格納されていればステップＳ４１１に行き、既に一時格納されていなければステップＳ４１０に行く。
（ステップＳ４１０）引用文献情報取得部１４は、ｊ番目の引用文献情報を一時格納する。
（ステップＳ４１１）引用文献情報取得部１４は、カウンタｊを１、インクリメントする。ステップＳ４０５に戻る。
（ステップＳ４１２）引用文献情報取得部１４は、カウンタｉを１、インクリメントする。ステップＳ４０２に戻る。
次に、ステップＳ２０４の関連用語情報取得処理について図５のフローチャートを用いて説明する。
（ステップＳ５０１）関連用語候補情報取得手段１５１は、カウンタｉに１を代入する。
【００４１】
（ステップＳ５０２）関連用語候補情報取得手段１５１は、引用文献情報取得部１４が取得した引用文献情報の中に、ｉ番目の引用文献情報が存在するか否かを判断する。ｉ番目の引用文献情報が存在すればステップＳ５０３に行き、ｉ番目の引用文献情報が存在しなければステップＳ５１２に行く。
【００４２】
（ステップＳ５０３）関連用語候補情報取得手段１５１は、ｉ番目の引用文献情報の全部または一部が有する用語情報である関連用語候補情報を取得する。ここで、関連用語候補情報取得手段１５１は、すべての関連用語候補情報を取得する。関連用語候補情報取得手段１５１は、例えば、引用文献情報取得部１４が取得した引用文献情報のタイトルから専門用語を示す情報である専門用語情報を取得し、当該専門用語情報を関連用語候補情報とする。なお、タイトルから専門用語を取得する技術は公知技術である。
（ステップＳ５０４）重要度取得手段１５２は、カウンタｊに１を代入する。
【００４３】
（ステップＳ５０５）重要度取得手段１５２は、ステップＳ５０３で取得した関連用語候補情報の中に、ｊ番目の関連用語候補情報が存在するか否かを判断する。ｊ番目の関連用語候補情報が存在すればステップＳ５０６に行き、ｊ番目の関連用語候補情報が存在しなければステップＳ５１１に行く。
（ステップＳ５０６）重要度取得手段１５２は、ｊ番目の関連用語候補情報の重要度を取得する。
（ステップＳ５０７）関連度算出手段１５３は、ｊ番目の関連用語候補情報と用語情報受付部１２が受け付けた用語情報の関連度を算出する。
（ステップＳ５０８）関連用語情報決定手段１５４は、ステップＳ５０６で取得した重要度と、ステップＳ５０７で取得した関連度をパラメータとして、評価値を算出する。
（ステップＳ５０９）関連用語情報決定手段１５４は、ｊ番目の関連用語候補情報と、ステップＳ５０８で算出した評価値を対にして一時格納する。
（ステップＳ５１０）関連用語情報決定手段１５４は、カウンタｊを１、インクリメントする。ステップＳ５０５に戻る。
（ステップＳ５１１）重要度取得手段１５２は、カウンタｉを１、インクリメントする。ステップＳ５０２に戻る。
【００４４】
（ステップＳ５１２）関連用語情報決定手段１５４は、評価値をキーとして、一時格納した関連用語候補情報をソートする。そして、関連用語情報決定手段１５４は、例えば、評価値が上位５位までの関連用語候補情報を関連用語情報とする。上位関数にリターンする。
次に、ステップＳ４０６の引用関係決定処理について図６のフローチャートを用いて説明する。
（ステップＳ６０１）引用文献情報取得部１４は、カウンタｉに１を代入する。
【００４５】
（ステップＳ６０２）引用文献情報取得部１４は、ｉ番目のタイプＣ用の手がかり句が存在するか否かを判断する。なお、ここでは、引用文献情報取得部１４は、タイプＣ用の手がかり句の集合であるタイプＣ用手がかり句辞書を保持している、とする。なお、引用関係がタイプＣとは、他の文献の理論や手法等の問題点を指摘するための引用の種類である問題指摘型の引用関係である。手がかり句とは、問題指摘型の引用関係である場合に、記載される句「しかしながら」「ところが」「Ａｌｔｈｏｕｇｈ」「ｂｕｔ  ｉｔ」などである。ｉ番目のタイプＣ用の手がかり句が存在すればステップＳ６０３に行き、ｉ番目のタイプＣ用の手がかり句が存在しなければステップＳ６０６に行く。
【００４６】
（ステップＳ６０３）引用文献情報取得部１４は、引用文献情報の中に、ｉ番目のタイプＣ用の手がかり句を含むか否かを判断する。ｉ番目のタイプＣ用の手がかり句を含む場合はステップＳ６０４に行き、ｉ番目のタイプＣ用の手がかり句を含まない場合はステップＳ６０５に行く。
（ステップＳ６０４）引用文献情報取得部１４は、引用文献情報の引用関係を「タイプＣ」の引用関係に決定する。上位関数にリターンする。
（ステップＳ６０５）引用文献情報取得部１４は、カウンタｉを１、インクリメントする。ステップＳ６０２に戻る。
（ステップＳ６０６）引用文献情報取得部１４は、カウンタｉに１を代入する。
【００４７】
（ステップＳ６０７）引用文献情報取得部１４は、ｉ番目のタイプＢ用の手がかり句が存在するか否かを判断する。なお、ここでは、引用文献情報取得部１４は、タイプＢ用の手がかり句の集合であるタイプＢ用手がかり句辞書を保持している、とする。なお、引用関係がタイプＢとは、既存の研究成果を用いて、新しい理論を提案したり、システムを構築したりする場合の引用の種類である論説根拠型の引用関係である。論説根拠型の引用関係である場合の手がかり句は、記載される句「基礎として」「利用して」「Ｗｅ  ｃａｎ」「ｅｘｔｅｎｄｅｆ  ｔｏ」などである。ｉ番目のタイプＢ用の手がかり句が存在すればステップＳ６０８に行き、ｉ番目のタイプＢ用の手がかり句が存在しなければステップＳ６１１に行く。
【００４８】
（ステップＳ６０８）引用文献情報取得部１４は、引用文献情報の中に、ｉ番目のタイプＢ用の手がかり句を含むか否かを判断する。ｉ番目のタイプＢ用の手がかり句を含む場合はステップＳ６０９に行き、ｉ番目のタイプＢ用の手がかり句を含まない場合はステップＳ６１１に行く。
（ステップＳ６０９）引用文献情報取得部１４は、引用文献情報の引用関係を「タイプＢ」の引用関係に決定する。上位関数にリターンする。
（ステップＳ６１０）引用文献情報取得部１４は、カウンタｉを１、インクリメントする。ステップＳ６０７に戻る。
【００４９】
（ステップＳ６１１）引用文献情報取得部１４は、引用文献情報の引用関係を「タイプＯ」の引用関係に決定する。上位関数にリターンする。なお、「タイプＯ」の引用関係とは、「タイプＣ」「タイプＢ」の引用関係ではない、引用関係を言う。
以下、本実施の形態における情報処理装置の具体的な動作について説明する。
【００５０】
まず、第一の具体例について説明する。本具体例において、情報処理装置の文献情報格納部１１には、ＰｏｓｔｓｃｒｉｐｔおよびＰＤＦ形式の自然言語処理分野を中心とするフルテキスト論文（文献情報）約１２，０００件が格納されている。これらのうち，約８，０００件はＡＣＬが提供するＡＣＬ  Ａｎｔｈｏｌｏｇｙに含まれるもの、残りの４,０００件は、国内外の自然言語処理研究者や自然言語処理系研究室のＷｅｂページから収集したものや、国際会議の予稿集（ＣＤ−ＲＯＭ）から抽出した論文データ（文献情報）等である。つまり、本具体例において、文献情報格納部１１には、論文データという一種類の文献情報が多数格納されている。
また、文献情報取得部１３は、文献情報のタイトル中に、用語情報受付部１２が受け付けた用語情報を有する文献情報の全部を取得する。
【００５１】
また、引用文献情報取得部１４は、タイプＣ用手がかり句辞書、タイプB用手がかり句辞書を保持している。図７はタイプＣ用手がかり句辞書であり、図８はタイプB用手がかり句辞書である。引用文献情報取得部１４は、本具体例では、タイプＣ用手がかり句辞書に存在する文字列を、論文の引用箇所に有する場合に、当該引用されている論文と引用している論文の引用関係をタイプＣであると決定する。同様に、引用文献情報取得部１４は、タイプB用手がかり句辞書に存在する文字列を、論文の引用箇所に有する場合に、当該引用されている論文と引用している論文の引用関係をタイプBであると決定する。さらに、引用文献情報取得部１４は、タイプＣ、タイプBの引用関係を有する文献情報のタイトルを取得する。
また、関連用語情報取得部１５は、引用文献情報取得部１４が取得した文献情報のタイトルから、用語情報受付部１２が受け付けた用語情報に関連する関連用語情報を取得する。
かかる状況において、ユーザは、用語「ｔｅｒｍｉｎｏｌｏｇｙ」を入力したとする。
次に、用語情報受付部１２は、用語情報「ｔｅｒｍｉｎｏｌｏｇｙ」を受け付ける。
【００５２】
次に、文献情報取得部１３は、用語情報「ｔｅｒｍｉｎｏｌｏｇｙ」を、タイトルに含む文献情報の一部（書誌情報）を取得する、とする。かかる取得した書誌情報が図９である。図９の書誌情報は、「ＩＤ」「著者」「タイトル」「その他」を有するレコードである。「ＩＤ」は、レコードを識別する情報であり、表におけるレコード管理のために存在する。「著者」は、論文の著者（１名以上）、「タイトル」は論文のタイトル、「その他」は論文誌の名称や著作年などの情報である。
【００５３】
次に、引用文献情報取得部１４は、1番目の文献情報（図９における「ＩＤ＝１」のレコード）を取得する。そして、引用文献情報取得部１４は、1番目の文献情報を文献情報格納部１１から取得する。そして、引用文献情報取得部１４は、取得した1番目の文献情報のうちで所定の手がかり句（ここでは「参考文献」）で識別できる欄から、論文のタイトルを取得する。かかる論文が、引用論文である。取得した引用論文のタイトルを図１０に示す。
【００５４】
そして、図１０の全引用論文について、元の文献情報で、引用箇所の情報を取得する。引用文献情報取得部１４は、引用箇所の情報を、例えば、以下のように取得する。引用文献情報取得部１４は、論文中の引用パターン(例えば、1)、(1)、[1])に着目して、論文中で他の論文を引用している文を抽出する。次に、引用文献情報取得部１４は、"However"や"Furthermore"といった文間のつながりを示す手がかり語を用いることで、参照の出現する文とつながりの深い文を抽出する。なお、引用箇所の抽出には、以下に示す手がかり語を用いる。
(1)照応詞に関する手がかり: In this, On this, Such
(2)接続詞に関する手がかり: But, However, Although
(3)１人称に関する手がかり: We, we, Our, our, us, I
(4)３人称に関する手がかり: They, they, Their, their, them
(5)副詞に関する手がかり: Furthermore, Additionally, Still
(6)その他の手がかり: In particular, follow, For example
そして、引用文献情報取得部１４は、引用箇所の情報に、図７のタイプＣ用手がかり句辞書の用語が存在するかどうかをチェックする。タイプＣ用手がかり句辞書の用語が存在すれば、引用文献情報取得部１４は、本引用論文の引用関係は、「タイプＣ」であると決定する。
【００５５】
タイプＣ用手がかり句辞書の用語が存在しなければ、引用文献情報取得部１４は、引用箇所の情報に、図８のタイプＢ用手がかり句辞書の用語が存在するかどうかをチェックする。タイプＢ用手がかり句辞書の用語が存在すれば、引用文献情報取得部１４は、本引用論文の引用関係は、「タイプＢ」であると決定する。
引用文献情報取得部１４は、その他の引用論文の引用関係のタイプを「タイプＯ」であると決定する。
そして、関連用語情報取得部１５は、図１１の関連用語候補情報群を得る。図１１の関連用語候補情報群は、引用関係と関連用語候補情報を有する。
【００５６】
次に、重要度取得手段１５２は、図１１の関連用語候補情報群のうちのタイプＣ、タイプＢの関連用語候補情報について、その重要度を算出する、とする。また、関連度算出手段１５３は、図１１の関連用語候補情報群のうちのタイプＣ、タイプＢの関連用語候補情報について、その関連度を算出する、とする。そして、関連用語情報決定手段１５４は、取得した重要度と関連度を乗じて、評価値を算出する、とする。なお、重要度の算出、関連度の算出は公知技術により可能であるので、詳細な説明は省略する。ただし、重要度の算出、関連度の算出方法は、何でも良い。また、関連用語情報取得部１５は、関連度のみに基づいて関連用語情報を取得しても良いし、重要度のみに基づいて関連用語情報を取得しても良い。さらに、関連用語情報取得部１５は、重要度や関連度によらずに関連用語情報を取得しても良い。例えば、関連用語情報取得部１５は、引用文献のタイトルの全技術用語を関連用語情報として取得しても良い。
そして、関連用語情報取得部１５は、図１２の情報を得る。なお、図１２は、評価値をキーとして、タイプごとにソートした表となっている。
次に、関連用語情報決定手段１５４は、ここでは、例えば、評価値が３５以上の関連用語候補情報を関連用語情報とする、とする。そして、関連用語情報決定手段１５４は、図１３の関連用語情報群を取得する。
【００５７】
次に、関連用語情報出力部１６は、図１３の関連用語情報を出力する。なお、本情報処理システムは、図１３の関連用語情報を、受け付けた用語情報と対にして蓄積しても良いし、ディスプレイに表示等しても良い。つまり、出力態様は問わない。
【００５８】
次に、第二の具体例について説明する。情報処理装置の文献情報格納部１１には、多数の学術論文、および多数の特許書類が格納されている。学術論文は、例えば、フルテキスト論文、国際会議の予稿集（ＣＤ−ＲＯＭ）から抽出した論文データ（文献情報）等である。特許書類は、例えば、特許明細書、特許請求の範囲、要約書等を含む。
また、文献情報取得部１３は、まず、特許書類の要約書中に、用語情報受付部１２が受け付けた用語情報を有する特許書類（文献情報）の全部を取得する。
【００５９】
また、引用文献情報取得部１４は、特許書類のうちの特許明細書の項目「背景技術」または「従来技術」の中に記載されている特許文献、および非特許文献の識別子（特許番号、特許公開番号、出願番号、文献名などの文献を特定する情報など）を取得する。かかる特許文献、および非特許文献の識別子が引用文献の識別子である。そして、引用文献情報取得部１４は、引用文献が特許文献の場合は、当該特許文献の要約書の情報を取得する。また、引用文献情報取得部１４は、引用文献が非特許文献の場合は、当該非特許文献のタイトルを取得する。なお、引用文献情報取得部１４は、取得した特許文献、および非特許文献の識別子で識別される文献情報を、文献情報格納部１１から取得できない場合は、当該特許文献、および非特許文献の識別子は無視する。つまり、当該特許文献、および非特許文献の識別子から、何ら情報を取得しない。
【００６０】
次に、関連用語候補情報取得手段１５１は、引用文献情報取得部１４が取得した情報（要約書の情報または、タイトルの情報）から、専門用語の情報を取得する。かかる専門用語の情報を取得する技術は公知技術である。また、かかる専門用語の情報は、関連用語候補情報である。
次に、重要度取得手段１５２は、取得した関連用語候補情報の重要度を算出する。
さらに、関連度算出手段１５３は、取得した関連用語候補情報の関連度を算出する。
そして、関連用語情報決定手段１５４は、重要度と関連度をパラメータとして、評価値を算出する。例えば、関連用語情報決定手段１５４は、「評価値＝重要度×関連度」により、評価値を算出する。
そして、関連用語情報決定手段１５４は、評価値が所定の値以上の場合は、当該関連用語候補情報を関連用語情報であると決定する。
以上の処理により、本情報処理装置は、受け付けた用語情報に対応する1以上の関連用語情報を取得する。
そして、本情報処理装置は、具体例１で述べたように、関連用語情報を出力する。
【００６１】
以上、本実施の形態によれば、文章の引用関係を用いて、入力した用語に関連する用語である関連用語を抽出できる。かかる処理により、例えば、良く似た用語群を自動的に収集できる。かかる用語群は、言語処理や、情報検索等の辞書として利用できる。
また、本実施の形態によれば、特定のタイプの引用関係にある文献情報のみを利用して、関連用語情報を取得する。したがって、非常に精度高く、関連用語情報を取得できる。
また、本実施の形態によれば、学術論文と特許書類などの異なる種類の文献情報を利用して関連用語情報を取得できる。したがって、非常に多様な関連用語情報を自動収集できる。
【００６２】
なお、本実施の形態によれば、自動収集した関連用語情報の利用態様について述べなかった。しかし、自動収集した関連用語情報は、概念辞書として利用できる。また、自動収集した関連用語情報は、実施の形態２で述べるような検索システムに利用できる。その他、自動収集した関連用語情報は、種々の言語処理システム等として利用できる。
【００６３】
また、本実施の形態の具体例によれば、異なる種類の文献情報は、学術論文と特許書類であり、２種類あった。しかし、文献情報格納部１１は、３種類以上の異なる種類の文献情報を格納していても良い。３種類以上とは、例えば、学術論文と特許書類とブログと官報などである。
【００６４】
また、本実施の形態の具体例によれば、タイプＢ、タイプＣの引用関係にある引用文献情報から関連用語情報を取得したが、全引用関係にある引用文献情報から関連用語情報を取得しても良いし、タイプＢのみの引用関係にある引用文献情報から関連用語情報を取得しても良い。また、タイプの取得方法も問わない。
【００６５】
さらに、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態における情報処理装置を実現するソフトウェアは、以下のようなプログラムである。つまり、このプログラムは、コンピュータに、用語の情報である用語情報を受け付ける用語情報受付ステップと、前記用語情報を有する文献情報の全部または一部を取得する文献情報取得ステップと、前記文献情報取得ステップで取得した文献情報の全部または一部に基づいて、当該文献情報に対応する文献と引用関係にある引用文献の情報である引用文献情報の全部または一部を、前記文献情報格納部から、取得する引用文献情報取得ステップと、前記引用文献情報取得ステップで取得した引用文献情報の全部または一部に基づいて、前記用語情報が示す用語に関連する関連用語の情報である関連用語情報を取得する関連用語情報取得ステップと、前記関連用語情報取得ステップで取得した関連用語情報を出力する関連用語情報出力ステップを実行させるためのプログラム、である。
【００６６】
また、上記プログラムにおいて、前記関連用語情報取得ステップは、前記引用文献情報取得ステップで取得した引用文献情報の全部または一部が有する用語情報である関連用語候補情報を取得する関連用語候補情報取得ステップと、前記関連用語候補情報が、前記引用文献情報取得ステップで取得した１以上の引用文献情報の全部または一部に出現する頻度に基づいて、当該関連用語候補情報と前記用語情報受付部が受け付けた用語情報の関連度を算出する関連度算出ステップと、前記関連度に基づいて、前記関連用語候補情報を関連用語情報として決定する関連用語情報決定ステップと、を具備しても良い。
【００６７】
また、上記プログラムにおいて、前記関連用語情報取得ステップは、前記関連用語候補情報取得ステップで取得した関連用語候補情報の重要度を取得する重要度取得ステップをさらに具備し、前記関連度算出ステップは、前記重要度取得ステップで取得した重要度が所定の条件を満たす関連用語候補情報のみを対象として関連度を算出しても良い。
また、上記プログラムにおいて、前記引用文献情報取得ステップにおいて、前記文献情報が示す文献と所定の引用関係にある引用文献のみの引用文献情報の全部または一部を取得することは好適である。
【００６８】
また、上記プログラムにおいて、前記引用文献情報取得ステップにおいて、前記文献情報に対応する文献と引用関係にある引用文献であり、前記文献とは異なる種類の文献である引用文献の引用文献情報の全部または一部を、取得することは好適である。
（実施の形態２）
図１４は、本実施の形態における情報処理装置のブロック図である。
情報処理装置は、文献情報格納部１１、用語情報受付部１２、文献情報取得部１３、引用文献情報取得部１４、関連用語情報取得部１５、関連用語情報出力部１６、文献情報検索部１４１を具備する。
【００６９】
文献情報検索部１４１は、関連用語情報出力部１６が出力した関連用語情報に基づいて、文献情報を検索し出力する。文献情報検索部１４１は、例えば、文献情報格納部１１から文献情報を検索する。また、文献情報検索部１４１は、例えば、文献情報格納部１１ではない、外部のデータベースやＷｅｂ上のホームページから文献情報を検索しても良い。文献情報検索部１４１は、関連用語情報に基づいて、文献情報を検索する文献情報検索手段と、当該文献情報を出力する文献情報出力手段を具備する。文献情報検索部１４１は、１以上の関連用語情報に基づいて、例えば、キーワード検索する検索エンジンである。なお、文献情報検索部１４１が出力する文献情報は、タイトルなど、一部でも良い。文献情報検索部１４１は、通常、ＭＰＵやメモリ等から実現され得る。文献情報検索部１４１の処理手順は、通常、ソフトウェアで実現され、当該ソフトウェアはＲＯＭ等の記録媒体に記録されている。但し、ハードウェア（専用回路）で実現しても良い。
なお、ここでの関連用語情報出力部１６は、関連用語情報取得部１５が取得した関連用語情報を文献情報検索部１４１に渡す。
次に、情報処理装置の動作について図１５のフローチャートを用いて説明する。図１５のフローチャートにおいて、図２のフローチャートと同一のステップについては、その説明を省略する。
【００７０】
（ステップＳ１５０１）文献情報検索部１４１は、関連用語情報出力部１６が出力した関連用語情報に基づいて検索式を構成する。なお、文献情報検索部１４１は、関連用語情報出力部１６が出力した関連用語情報と、用語情報受付部１２が受け付けた用語情報に基づいて、検索式を構成することは好適である。文献情報検索部１４１は、例えば、用語情報と１以上の関連用語情報のうちのいずれかの用語を要約に含む文献情報を検索するような検索式（例えば、ＳＱＬなど）を構成する。
（ステップＳ１５０２）文献情報検索部１４１は、ステップＳ１５０１で構成した検索式に基づいて、文献情報を検索する。
（ステップＳ１５０３）文献情報検索部１４１は、ステップＳ１５０２で検索した文献情報を出力する。なお、出力する文献情報は、文献情報の一部（例えば、タイトルなど）でも良い。
なお、図１５のフローチャートにおいて、電源オフや処理終了の割り込みにより処理は終了する。
以上、本実施の形態によれば、本情報処理装置は、受け付けた用語情報に対応する1以上の関連用語情報を取得し、当該関連用語情報も利用して、情報検索ができる。
【００７１】
なお、本実施の形態における情報処理装置を実現するソフトウェアは、以下のようなプログラムである。つまり、このプログラムは、コンピュータに、用語の情報である用語情報を受け付ける用語情報受付ステップと、前記用語情報を有する文献情報の全部または一部を取得する文献情報取得ステップと、前記文献情報取得ステップで取得した文献情報の全部または一部に基づいて、当該文献情報に対応する文献と引用関係にある引用文献の情報である引用文献情報の全部または一部を、前記文献情報格納部から、取得する引用文献情報取得ステップと、前記引用文献情報取得ステップで取得した引用文献情報の全部または一部に基づいて、前記用語情報が示す用語に関連する関連用語の情報である関連用語情報を取得する関連用語情報取得ステップと、前記関連用語情報取得ステップで取得した関連用語情報を出力する関連用語情報出力ステップと、前記関連情報出力ステップで出力した関連用語情報に基づいて、文献情報を検索し出力する文献情報検索ステップとを実行させるためのプログラム、である。
（実施の形態３）
本実施の形態において、サーバ・クライアントシステムにより、用語情報に対応する1以上の関連用語情報を取得する態様について説明する。
図１６は、本実施の形態における情報処理システムのブロック図である。
情報処理システムは、サーバ装置１６１、情報処理装置１６２を具備する。
サーバ装置は、文献情報格納部１１、用語情報受信部１６１１、文献情報取得部１３、引用文献情報取得部１４、関連用語情報取得部１５、処理部１６１２、処理結果送信部１６１３を具備する。
情報処理装置１６２は、用語情報受付部１２、用語情報送信部１６２１、処理結果受信部１６２２、処理結果出力部１６２３を具備する。
用語情報受信部１６１１は、情報処理装置１６２から用語の情報である用語情報を受信する。用語情報受信部１６１１は、通常、無線または有線の通信手段で実現されるが、放送を受信する手段で実現されても良い。
【００７２】
処理部１６１２は、関連用語情報取得部１５が取得した関連用語情報に基づいて処理を行う。処理とは、例えば、文献情報の検索処理である。また、処理とは、例えば、送信する関連用語情報を構成する処理などである。処理部１６１２は、通常、ＭＰＵやメモリ等から実現され得る。処理部１６１２の処理手順は、通常、ソフトウェアで実現され、当該ソフトウェアはＲＯＭ等の記録媒体に記録されている。但し、ハードウェア（専用回路）で実現しても良い。
【００７３】
処理結果送信部１６１３は、処理部１６１２における処理結果を、情報処理装置１６２に送信する。処理が文献情報の検索処理である場合、処理結果とは、例えば、検索された文献情報である。また、処理が送信する関連用語情報を構成する処理である場合、処理結果とは、例えば、送信される形式になった関連用語情報である。処理結果送信部１６１３は、通常、無線または有線の通信手段で実現されるが、放送手段で実現されても良い。
用語情報送信部１６２１は、用語情報受付部１２が受け付けた用語情報をサーバ装置１６１に送信する。用語情報送信部１６２１は、通常、無線または有線の通信手段で実現されるが、放送手段で実現されても良い。
処理結果受信部１６２２は、用語情報の送信に対応して、処理結果を受信する。処理結果受信部１６２２は、通常、無線または有線の通信手段で実現されるが、放送を受信する手段で実現されても良い。
【００７４】
処理結果出力部１６２３は、処理結果受信部１６２２が受信した処理結果を出力する。ここで、出力とは、ディスプレイへの表示、記録媒体への蓄積、プリンタへの印字、音出力、外部の装置への送信等を含む概念である。処理結果出力部１６２３は、ディスプレイやスピーカー等の出力デバイスを含むと考えても含まないと考えても良い。処理結果出力部１６２３は、出力デバイスのドライバーソフトまたは、出力デバイスのドライバーソフトと出力デバイス等で実現され得る。
【００７５】
次に、情報処理システムの動作について説明する。まず、サーバ装置１６１の動作について図１７のフローチャートを用いて説明する。図１７のフローチャートにおいて、図２のフローチャートと同一のステップについては、その説明を省略する。
（ステップＳ１７０１）用語情報受付部１６１１は、用語情報を受信したか否かを判断する。用語情報を受信すればステップＳ２０２に行き、用語情報を受信しなければステップＳ１７０１に戻る。
（ステップＳ１７０２）処理部１６１２は、関連用語情報取得部１５が取得した関連用語情報に基づいて処理を行う。
（ステップＳ１７０３）処理結果送信部１６１３は、ステップＳ１７０２における処理結果を、情報処理装置１６２に送信する。
なお、図１７のフローチャートにおいて、電源オフや処理終了の割り込みにより処理は終了する。
次に、情報処理装置１６２の動作について説明する。
【００７６】
まず、情報処理装置１６２の用語情報受付部１２は、用語情報を受け付ける。次に、用語情報送信部１６２１は用語情報を、サーバ装置１６１に送信する。次に、処理結果受信部１６２２は、サーバ装置１６１から処理結果を受信するまで待つ。処理結果受信部１６２２は、処理結果を受信すると、処理結果出力部１６２３は、当該処理結果を出力する。
以上、本実施の形態によれば、サーバ・クライアントシステムにおいても、用語情報に対応する1以上の関連用語情報を取得し、当該関連用語情報を利用できるシステムを提供できる。
なお、本実施の形態によれば、処理部１６１２における関連用語情報に基づく処理は、検索処理以外、種々の処理があり得る。例えば、関連用語情報と用語情報から、類義語辞書を構築する処理である。
【００７７】
また、本実施の形態によれば、処理結果送信部１６１３は、処理部１６１２における処理結果を、情報処理装置１６２に送信したが、送信しなくても良い。かかる場合、処理結果は、情報処理装置１６２には送信されず、サーバ装置１６１に蓄積される。また、情報処理装置１６２から、必要に応じて、処理結果を利用することは好適である。
【００７８】
さらに、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態におけるサーバ装置を実現するソフトウェアは、以下のようなプログラムである。つまり、このプログラムは、コンピュータに、用語の情報である用語情報を受信する用語情報受信ステップと、前記用語情報を有する文献情報の全部または一部を取得する文献情報取得ステップと、前記文献情報取得ステップで取得した文献情報の全部または一部に基づいて、当該文献情報に対応する文献と引用関係にある引用文献の情報である引用文献情報の全部または一部を、前記文献情報格納部から、取得する引用文献情報取得ステップと、前記引用文献情報取得ステップで取得した引用文献情報の全部または一部に基づいて、前記用語情報が示す用語に関連する関連用語の情報である関連用語情報を取得する関連用語情報取得ステップと、前記関連用語情報取得ステップで取得した関連用語情報に基づいて処理を行う処理ステップと、前記処理ステップにおける処理結果を送信する処理結果送信ステップを実行させるためのプログラム、である。
【００７９】
また、上記各実施の形態において、各処理（各機能）は、単一の装置（システム）によって集中処理されることによって実現されてもよく、あるいは、複数の装置によって分散処理されることによって実現されてもよい。
【００８０】
なお、上記プログラムにおいて、情報を送信する送信ステップや、情報を受信する受信ステップなどでは、ハードウェアによって行われる処理、例えば、送信ステップにおけるモデムやインターフェースカードなどで行われる処理（ハードウェアでしか行われない処理）は含まれない。
また、上記プログラムを実行するコンピュータは、単数であってもよく、複数であってもよい。すなわち、集中処理を行ってもよく、あるいは分散処理を行ってもよい。
本発明は、以上の実施の形態に限定されることなく、種々の変更が可能であり、それらも本発明の範囲内に包含されるものであることは言うまでもない。
【産業上の利用可能性】
【００８１】
以上のように、本発明にかかる情報処理装置は、関連用語収集の精度が高い、という効果を有し、入力した用語に対応する関連用語を収集する情報処理装置等として有用である。
【図面の簡単な説明】
【００８２】
【図１】実施の形態１における情報処理装置のブロック図
【図２】同情報処理装置の動作について説明するフローチャート
【図３】同文献情報取得処理の動作について説明するフローチャート
【図４】同引用文献情報取得処理の動作について説明するフローチャート
【図５】同関連用語情報取得処理の動作について説明するフローチャート
【図６】同情報処理装置の動作について説明するフローチャート
【図７】同タイプＣ用手がかり句辞書を示す図
【図８】同タイプＢ用手がかり句辞書を示す図
【図９】同取得した書誌情報を示す図
【図１０】同取得した引用論文のタイトルを示す図
【図１１】同関連用語候補情報群を示す図
【図１２】同関連用語候補情報群の評価値の情報を示す図
【図１３】同関連用語情報群を示す図
【図１４】実施の形態２における情報処理装置のブロック図
【図１５】同情報処理装置の動作について説明するフローチャート
【図１６】実施の形態３における情報処理システムのブロック図
【図１７】同サーバ装置の動作について説明するフローチャート
【符号の説明】
【００８３】
１１  文献情報格納部
１２、１６１１  用語情報受付部
１３  文献情報取得部
１４  引用文献情報取得部
１５  関連用語情報取得部
１６  関連用語情報出力部
１４１  文献情報検索部
１５１  関連用語候補情報取得手段
１５２  重要度取得手段
１５３  関連度算出手段
１５４  関連用語情報決定手段
１６１  サーバ装置
１６２  情報処理装置
１６１１  用語情報受信部
１６１２  処理部
１６１３  処理結果送信部
１６２１  用語情報送信部
１６２２  処理結果受信部
１６２３  処理結果出力部
【図１】
2007004240.tif 000003
【図２】
2007004240.tif 000004
【図３】
2007004240.tif 000005
【図４】
2007004240.tif 000006
【図５】
2007004240.tif 000007
【図６】
2007004240.tif 000008
【図７】
2007004240.tif 000009
【図８】
2007004240.tif 000010
【図９】
2007004240.tif 000011
【図１０】
2007004240.tif 000012
【図１１】
2007004240.tif 000013
【図１２】
2007004240.tif 000014
【図１３】
2007004240.tif 000015
【図１４】
2007004240.tif 000016
【図１５】
2007004240.tif 000017
【図１６】
2007004240.tif 000018
【図１７】
2007004240.tif 000019